(57)【特許請求の範囲】
【請求項１】
円盤状の記憶媒体に対して情報を書込み／読み出しするヘッドと、
前記ヘッドを前記記憶媒体に対して相対移動させるボイスコイルモータと、
前記ボイスコイルモータのサーボ信号を発生するサーボ回路と、
前記サーボ回路に制御されて前記ボイスコイルモータを駆動する駆動回路と
を備えた情報記録再生装置において、
音声メッセージとして発声すべき音声データを保持する音声合成回路と、
該音声合成回路から出力された音声データの信号または前記サーボ回路から出力されたサーボ信号のいずれかを選択的に前記駆動回路に与えるスイッチング回路と
を備え、
前記スイッチング回路により前記サーボ回路と前記駆動回路とを接続することにより、前記ボイスコイルモータに前記ヘッドを移動させ、
前記スイッチング回路により前記音声合成回路と前記駆動回路とを接続することにより、前記ボイスコイルモータのコイルを振動させ、前記コイルが捲回され一端に前記ヘッドが固定された可動子を振動させて前記ボイスコイルモータを発音手段として機能させて前記音声合成回路に保持されている音声データを音声メッセージとして発声させるべくなしてあること
を特徴とする情報記録再生装置。
【請求項２】
前記音声合成回路は、複数のアドレスそれぞれに異なる音声データを文章単位で記憶するデータメモリと、発声すべき文章を指定する信号を前記データメモリのアドレスに変換するアドレス変換回路とを備えた請求項１に記載の情報記録再生装置。
【請求項３】
前記音声合成回路は、複数のアドレスそれぞれに異なる音声データを文章の構成要素単位で記憶するデータメモリと、発声すべき文章の構成要素単位の音声データ及びその順序を指定する信号を前記データメモリのアドレスに変換するアドレス変換回路とを備えた請求項１に記載の情報記録再生装置。
【発明の詳細な説明】
【０００１】
【産業上の利用分野】
本発明は、記憶媒体、具体的には円盤状の記憶媒体に情報を記録し、あるいは再生する装置、たとえばフレキシブルディスク装置，光ディスク装置，光磁気ディスク装置等の情報記録再生装置に関する。
【０００２】
【従来の技術】
主としてマイクロコンピュータの外部記憶装置としては、磁気ディスク，光ディスク，あるいは光磁気ディスク等の円盤状の記憶媒体を使用するフレキシブルディスク装置，光ディスク装置，光磁気ディスク装置等の情報記録再生装置が一般的に接続されている。
【０００３】
ところで、これらの記憶媒体として使用されるディスクは、サイズが同一であっても規格、特に記憶容量が異なる場合が有り、また装置側の記録方式によっても異なる規格の媒体を使用する必要があるが、一般のユーザにとってはそれらの区別が困難である。更に、記憶媒体に対して情報を書込み，あるいは読み出すためのヘッド（磁気ヘッド，光ヘッド等）は周期的にクリーニングを行なうことが望ましいが、一般のユーザにはその時期が不明なことが多く、トラブルの原因となる虞が多い。
【０００４】
このような事情から、従来のそのような装置には自身の状態あるいはトラブルが発生していることをオペレーティングシステム（ＯＳ）を介して CRTディスプレイの画面にメッセージを表示して通知するか、あるいは７セグメント表示器を介して通知するような対策は講じられている場合もあった。
【０００５】
図９のブロック図に従来の情報記録再生装置の原理的な構成例を示す。
図９において、参照符号１は情報書込み／読み出し手段を示しており、具体的には磁気ディスク装置であれば磁気ヘッド，光ディスク装置であれば光ヘッド，光磁気ディスク装置であれば光磁気ヘッドである。この情報書込み／読み出し手段１は参照符号７にて示されている移動手段が参照符号６にて示す駆動手段により駆動されることにより、図示されていない円盤状の記憶媒体（磁気ディスク，光ディスク，光磁気ディスク）の中心を通る径方向に移動する。
【０００６】
参照符号２は速度検出手段を示しており、情報書込み／読み出し手段１の移動速度の情報を検出して速度誤差検出手段３に与える。速度誤差検出手段３は上述の速度検出手段２が検出した情報に従って速度誤差信号を生成して出力する。
【０００７】
参照符号４はサーボ手段を示しており、速度誤差検出手段３から出力される速度誤差信号に従って情報書込み／読み出し手段１の駆動速度を指示する信号を出力する。駆動手段６がこのサーボ手段４から与えられる信号に従って移動手段７を駆動することにより、情報書込み／読み出し手段１が移動する。
【０００８】
参照符号８はエラー検出手段を示しており、この装置内の種々のエラーを検出するセンサ群にて構成されている。このエラー検出手段８が検出するエラーとしてはたとえば、記憶媒体が装着されていない状態，使用不可能な記憶媒体が装着されている状態，情報書込み／読み出し手段１のクリーニングが必要な状態等が挙げられる。
【０００９】
参照符号９は制御手段であり、具体的にはマイクロコンピュータ等が使用される。この制御手段９はエラー検出手段８から有意な信号が与えられている場合にその信号に応じて、より具体的にはエラー検出手段８を構成する種々のセンサの内のいずれから有意な信号が与えられているかに応じて表示手段11に適宜の表示を行なう。なお、表示手段11としては、この情報記録再生装置自身に備えられている７セグメント表示器、あるいはこの情報記録再生装置が接続されている上位の装置 (データ処理装置等) の CRTディスプレイ等が使用可能である。
【００１０】
このような従来の情報記録再生装置の基本的な動作は以下の如くである。
速度検出手段２は情報書込み／読み出し手段１の速度に関する情報を検出しており、その結果に従って速度誤差検出手段３が発生した速度誤差信号に従ってサーボ手段４が駆動手段６の駆動速度を指示する信号を駆動手段６に与える。これにより、移動手段７が駆動手段６により駆動されて情報書込み／読み出し手段１が適正な速度で移動する。
【００１１】
一方、エラー検出手段８により何らかの異常な状態が検出した場合には、その状態を検出するエラー検出手段８のセンサから出力された有意な信号が制御手段９に与えられる。制御手段９は入力された信号に応じて予め対応付けられている表示を表示手段11に行なわせる。
【００１２】
【発明が解決しようとする課題】
このような従来の情報記録再生装置では、自身の状態あるいはトラブルが発生していることをオペレーティングシステムを介して画面表示等により通知する場合には、オペレーティングシステムが装置の内部状態を充分に把握して通知内容をサポートする必要があり、また７セグメント表示器を介して通知するような場合には、一般の個人ユーザには受け入れ難いというのが実情である。
【００１３】
本発明はこのような事情に鑑みてなされたものであり、装置内部の状態あるいはトラブルの発生をユーザにとって理解が容易で且つ簡単にトラブルの対策を講じ得るようにするために音声により通知する情報記録再生装置の提供を主たる目的とし、更にそのための音声を発生させる手段として、情報書込み／読み出し手段を記憶媒体に対して相対的に移動させる移動手段として通常用いられているボイスコイルモータのコイルを使用することにより、ハードウェアの追加をほとんど行なわずに済む情報記録再生装置の提供を目的とする。
【００１４】
【課題を解決するための手段】
図１のブロック図に本発明の情報記録再生装置の原理構成を示す。
図１において、参照符号１は情報書込み／読み出し手段を示しており、具体的には磁気ディスク装置であれば磁気ヘッド，光ディスク装置であれば光ヘッド，光磁気ディスク装置であれば光磁気ヘッドである。この情報書込み／読み出し手段１は参照符号７にて示されている発音手段／移動手段が参照符号６にて示す駆動手段により駆動されることにより、図示されていない円盤状の記憶媒体（磁気ディスク，光ディスク，光磁気ディスク）の中心を通る径方向に移動する。なお、発音手段／移動手段７は、コイルに電流が駆動手段６から与えられることにより情報書込み／読み出し手段を移動させるような、たとえばボイスコイルモータで構成されている。
【００１５】
参照符号２は速度検出手段を示しており、情報書込み／読み出し手段１の移動速度の情報を検出して速度誤差検出手段３に与える。速度誤差検出手段３は上述の速度検出手段２が検出した情報に従って速度誤差信号を生成して出力する。
【００１６】
参照符号４はサーボ手段を示しており、速度誤差検出手段３から出力される速度誤差信号に従って情報書込み／読み出し手段１の駆動速度を指示する信号を出力する。
【００１７】
参照符号５はスイッチング手段であり、通常は実線にて示されているように、サーボ手段４からの出力信号が駆動手段６に与えられるように接続されている。この通常の状態においては、駆動手段６がこのスイッチング手段５を介してサーボ手段４から与えられる信号に従って発音手段／移動手段７を駆動することにより、情報書込み／読み出し手段１が移動する。
【００１８】
参照符号８はエラー検出手段を示しており、この装置内の種々のエラーを検出するセンサ群にて構成されている。このエラー検出手段８が検出するエラーとしてはたとえば、記憶媒体が装着されていない状態，使用不可能な記憶媒体が装着されている状態，情報書込み／読み出し手段１のクリーニングが必要な状態等が挙げられる。
【００１９】
参照符号９は制御手段であり、具体的にはマイクロコンピュータ等が使用される。この制御手段９はエラー検出手段８から有意な信号が与えられている場合にその信号に応じて、より具体的にはエラー検出手段８を構成する種々のセンサの内のいずれから有意な信号が与えられているかに応じた信号を発生して音声合成手段10に与えると共に、スイッチング手段５の接続状態を前述の通常の状態とは異なる状態、即ち図１に破線にて示されているように、音声合成手段10の出力信号を駆動手段６に与えるように切り換える。
【００２０】
音声合成手段10は、たとえばそれぞれにアドレスが割り付けられた種々の音声データを予め記憶したROM 、あるいは装置の起動時に図示されていない主メモリから種々の音声データが所定のアドレスに格納されるようなRAM 等で構成されている。
【００２１】
【作用】
図１に原理構成が示されている本発明の情報記録再生装置の基本的な動作について以下に説明する。
まず通常の動作について説明する。通常は、スイッチング手段５は図１に実線にて示されているように、サーボ手段４の出力信号を駆動手段６に与えるように制御手段９により切り換え制御されている。
【００２２】
そして、速度検出手段２は情報書込み／読み出し手段１の速度に関する情報を検出しており、その結果から速度誤差検出手段３が発生した速度誤差信号に従ってサーボ手段４が駆動手段６の駆動速度を指示する信号をスイッチング手段５を介して駆動手段６に与える。これにより、発音手段／移動手段７が駆動手段６により駆動されて情報書込み／読み出し手段１が適正な速度で移動する。
【００２３】
一方、エラー検出手段８により何らかの異常な状態が検出した場合には、その状態を検出するエラー検出手段８のセンサから出力された有意な信号が制御手段９に与えられる。制御手段９は入力された信号に応じて予め対応付けられている音声データを出力させる制御信号を音声合成手段10に与えると共に、スイッチング手段５を図１に破線にて示されている状態に切り換え制御する。これにより、音声合成手段10から音声信号が出力されてスイッチング手段５を経由して駆動手段６に与えられるので、発音手段／移動手段７のコイルが振動して音声が発せられる。
【００２４】
【実施例】
以下、本発明をその実施例を示す図面に基づいて詳述する。
なお以下の実施例では、本発明を光ディスク装置に適用した場合について説明する。
【００２５】
図２は本発明の情報記録再生装置の一実施例としての光ディスク装置の制御系の構成例を示すブロック図、図３はその光ヘッドの具体的な構成を示す模式図及びそのサーボ系の構成を示すブロック図、図４はボイスコイルモータの一般的な概略の構成を示す模式図、図５は後述する音声合成回路の構成例を示す模式図である。
【００２６】
図２において、参照符号１は情報書込み／読み出し手段としての光ヘッドを示している。この光ヘッド１は参照符号７にて示されている発音手段／移動手段としてのボイスコイルモータ（以下、ＶＣＭという）が参照符号６にて示す駆動回路により駆動されることにより、図２には示されていない円盤状の記憶媒体である光ディスク（図３参照）の中心を通る径方向に移動する。
【００２７】
図３において、参照符号１は光ヘッドを、 100はモータを、 101は光ディスクをそれぞれ示している。
光ディスク101 はその中心をモータ100 の回転軸に支持されて回転する。光ヘッド１は光ディスク101 の中心を通る径方向に移動する。この光ヘッド１の移動は前述の如くＶＣＭ７により行なわれるが、同時に光ヘッド１の光ディスク101 に対する粗位置決めも行なわれる。
【００２８】
光ヘッド１の構成は以下の如くである。光源であるレーザダイオード224 により発生されるレーザビームはレンズ225,偏光ビームスプリッタ223 を介して対物レンズ201 に導かれてレーザスポットとして光ディスク101 上に合焦される。このレーザスポットの反射光は偏光ビームスプリッタ223 から光ディテクタ226 に入射する。
【００２９】
ところで、光ディスク101 には同心円状に数ミクロン間隔で多数のトラックが形成されており、光ヘッド１の粗位置決めのみでは光ディスク101 の極く僅かな偏心によってもレーザスポットがトラックからずれてしまう。また、光ディスク101 の極くわずかなたわみによってもビットストリームの合焦位置がずれてしまう。このため、光ヘッド１の対物レンズ201 には、それを光ヘッド１内で光ディスク101 に接離する方向（図３上で上下方向）に移動させてレーザスポットの合焦位置を移動させるフォーカスアクチュエータ222 と、対物レンズ201 を光ヘッド１内で光ディスク101 の径方向（図３上で左右方向）に移動させるトラックアクチュエータ221 とが備えられている。
【００３０】
両アクチュエータ221, 222の制御系は以下のように構成されている。
ディテクタ226 が受光した光ディスク101 からの反射光はフォーカスサーボ信号形成回路105F及びトラックサーボ信号形成回路105Tに与えられる。
【００３１】
フォーカスサーボ信号形成回路105Fはディテクタ226 から与えられる信号に基づいてフォーカスサーボ信号FSを生成してフォーカスサーボ制御回路103Fに与える。フォーカスサーボ制御回路103Fはフォーカスサーボ信号FSに従ってフォーカスアクチュエータ222 を駆動してレーザビームを光ディスク101 のトラック上に合焦させる。
【００３２】
一方、トラックサーボ信号形成回路105Tはディテクタ226 から与えられる信号に基づいてトラックサーボ信号TSを生成してトラックサーボ制御回路103Tに与える。トラックサーボ制御回路103Tはトラックサーボ信号TSに従ってトラックアクチュエータ222 を駆動してレーザビームを光ディスク101 のトラックに追従させる。
【００３３】
図２において、参照符号２は速度検出回路を示しており、光ヘッド１のＶＣＭ７による移動速度の情報を検出して速度誤差検出回路３に与える。速度誤差検出回路３は上述の速度検出回路２が検出した情報に従って速度誤差信号を生成して出力する。
【００３４】
参照符号４はサーボ回路を示しており、速度誤差検出回路３から出力される速度誤差信号に従って光ヘッド１の駆動速度を指示する信号を出力する。
【００３５】
参照符号５はスイッチング回路であり、通常は実線にて示されているように、サーボ回路４からの出力信号が駆動回路６に与えられるように接続されている。
【００３６】
図４はＶＣＭ７の一般的な概略の構成を示す模式図である。
ＶＣＭ７は一種のリニアモータであり、ヨーク70はその軸心を通る断面が示されているように、基本的には一端が閉鎖された円筒状の部分71と、この円筒状の部分71の軸心と軸心を一致させた円柱状の部分72とで構成されている。円筒状の部分71の内周面には円筒状の磁石73が嵌め込まれている。
【００３７】
また、ヨーク70の円柱状の部分72には、外周にコイル (ボイスコイル) 74が捲回され、一端に光ヘッド１が固定された円筒状の可動子75が嵌め合わされている。前述のサーボ回路４からの出力信号に応じた電流が駆動回路６からこのコイル74に流されることにより、固定されているヨーク71に対して可動子75が、換言すれば光ヘッド１が直線移動する。
【００３８】
ところで、ＶＣＭ７のコイル74はその名称からも明らかなように、スピーカのボイスコイルと原理的には同一の構成である。従って、ＶＣＭ７のコイル74を振動させることにより、外周にコイル74が捲回された可動子75及びこれに固定されている光ヘッド１が振動してＶＣＭ７を発音手段として機能させることが可能である。
【００３９】
参照符号８はエラー検出回路を示しており、この情報記録再生装置内の種々のエラーを検出するセンサ群にて構成されている。このエラー検出回路８が検出するエラーとしてはたとえば、光ヘッド１のクリーニングを要求する信号, 光ディスク101 が装入されていないことを示す媒体エラーＩ信号, 装入された光ディスク101 が使用不可能であることを示す媒体エラーII信号等を発生して制御回路９に与える。
【００４０】
参照符号９は制御回路であり、具体的にはマイクロコンピュータ等が使用される。この制御回路９はエラー検出回路８から有意な信号が与えられている場合にその信号に応じて、より具体的にはエラー検出回路８を構成する種々のセンサの内のいずれから有意な信号が与えられているかに応じた通知番号の信号を発生して音声合成回路10に与えると共に、スイッチング回路５の接続状態を前述の通常の状態とは異なる状態、即ち図２に破線にて示されているように、音声合成回路10の出力信号を駆動回路６に与えるように切り換える。
【００４１】
なおここでは、エラー検出回路８が出力する光ヘッド１のクリーニングを要求する信号に対しては通知番号(1) が、光ディスク101 が装入されていないことを示す媒体エラーＩ信号に対しては通知番号(2) が、装入された光ディスク101 が使用不可能であることを示す媒体エラーII信号に対しては通知番号(3) がそれぞれ制御回路９から出力されるものとする。
【００４２】
音声合成回路10は、たとえばそれぞれにアドレスが割り付けられた種々の音声データを予め記憶したROM 、あるいは装置の起動時に図示されていない主メモリから種々の音声データが所定のアドレスに格納されるようなRAM 等で構成されている。
【００４３】
図５は音声合成回路10のより具体的な構成例を示すブロック図である。
図５において、参照符号21は上述のようなROM またはRAM にて構成されたデータメモリを、22はアドレス変換回路をそれぞれ示している。
【００４４】
アドレス変換回路22には前述の制御回路９から出力される通知番号の信号が入力される。ここでは、制御回路９から出力される通知番号の信号全体を参照符号80で示し、更にその内の通知番号(1) の信号、即ち光ヘッド１のクリーニングが要求されている場合の信号を参照符号81にて、通知番号(2) の信号、即ち光ディスク101 が装入されていないことを示す媒体エラーＩ信号を参照符号82にて、使用可能なディスクと異なることを示す媒体エラーII信号を参照符号83にてそれぞれ示す。なお、上述の三種類の通知番号以外にも種々の状態を示す通知番号及びそれに対応する信号が制御回路９から音声合成回路10に与えられることは言うまでもない。
【００４５】
データメモリ21には、制御回路９から与えられる通知番号の信号80に対応した音声データが文章単位で予め所定のアドレスに格納されている。その一例を図６の模式図に示す。たとえば、データメモリ21のアドレス”0000”には「ヘッドのクリーニングをして下さい。」という文章の音声データが、アドレス”0001”には「ディスクを入れて下さい。」という文章の音声データが、アドレス”0010”には「このディスクは使えません。」という文章の音声データがそれぞれ予め格納されているとする。
【００４６】
従って、エラー検出回路８がヘッドの汚れを検出した場合には、制御回路９は通知番号(1) の信号81を出力し、アドレス変換回路22はこの信号81をアドレス”0000”に変換してデータメモリ21に与える。これにより、データメモリ21からは「ヘッドのクリーニングをして下さい。」という音声信号が出力される。また、エラー検出回路８が光ディスク101 が装入されていないことを検出した場合には、制御回路９は通知番号(2) の信号82を出力し、アドレス変換回路22はこの信号82をアドレス”0001”に変換してデータメモリ21に与える。これにより、データメモリ21からは「ディスクを入れて下さい。」という音声信号が出力される。更に、エラー検出回路８が使用不可能な光ディスク101 が装入されてることを検出した場合には、制御回路９は通知番号(3) の信号83を出力し、アドレス変換回路22はこの信号83をアドレス”0010”に変換してデータメモリ21に与える。これにより、データメモリ21からは「このディスクは使えません。」という音声信号が出力される。
【００４７】
このような本発明の情報記録再生装置の具体的な動作について以下に説明する。
まず通常の動作について説明する。通常は、スイッチング回路５は図２に実線にて示されているように、サーボ回路４の出力信号を駆動回路６に与えるように制御回路９により制御されている。
【００４８】
そして、速度検出回路２は光ヘッド１の速度に関する情報を検出しており、その結果に従って速度誤差検出回路３が発生した速度誤差信号に従ってサーボ回路４が駆動回路６の駆動速度を指示する信号をスイッチング回路５を介して駆動回路６に与える。これにより、ＶＣＭ７が駆動回路６により駆動されて光ヘッド１が適正な速度で移動する。
【００４９】
このようにして光ヘッド１全体がＶＣＭ７により光ディスク101 に対して位置決めされた状態で、フォーカスサーボ制御回路103F及びトラックサーボ制御回路103Tによりレーザビームが光ディスク101 上の目的のトラック上に合焦して情報の書込み／読み出しが行なわれる。
【００５０】
一方、エラー検出回路８により何らかの異常な状態が検出された場合には、その状態を検出するエラー検出回路８のセンサから出力された有意な信号が制御回路９に与えられる。
たとえば、エラー検出回路８がヘッドの汚れを検出した場合には、制御回路９は通知番号(1) の信号81を出力すると共に、スイッチング回路５を図２に破線にて示されている状態に切り換える。音声合成回路10のアドレス変換回路22は制御回路９から出力された信号81を入力してアドレス信号”0000”に変換し、データメモリ21に与える。これにより、データメモリ21からは「ヘッドのクリーニングをして下さい。」という音声信号が出力される。
【００５１】
音声合成回路10から出力された音声信号は、スイッチング回路５を経由して駆動回路６に与えられるので、駆動回路６は与えられた音声信号に従ってＶＣＭ７を駆動する。これにより、ＶＣＭ７のコイル74が振動して「ヘッドのクリーニングをして下さい。」という音声が発声される。
【００５２】
同様に、エラー検出回路８が光ディスク101 が装入されていないことを検出した場合には、制御回路９は通知番号(2) の信号82を出力すると共に、スイッチング回路５を図２に破線にて示されている状態に切り換える。音声合成回路10のアドレス変換回路22は制御回路９が出力した信号82を入力してアドレス信号”00001 に変換し、データメモリ21に与える。これにより、データメモリ21からは「ディスクを入れて下さい。」という音声データが出力され、ＶＣＭ７のコイル74が振動して「ディスクを入れて下さい。」という音声が発声される。
【００５３】
更に、エラー検出回路８が装入された光ディスク101 が使用不可能であることを検出した場合には、制御回路９は通知番号(3) の信号83を出力すると共に、スイッチング回路５を図２に破線にて示されている状態に切り換える。音声合成回路10のアドレス変換回路22は制御回路９が出力した信号83を入力してアドレス信号”00010 に変換し、データメモリ21に与える。これにより、データメモリ21からは「このディスクは使えません。」という音声データが出力され、ＶＣＭ７のコイル74が振動して「このディスクは使えません。」という音声が発声される。
【００５４】
図７は本発明の音声合成回路10の他の構成例を示すデータメモリ21の記憶内容の一例を示す模式図である。前述の図５に示されている例では、データメモリ21の各アドレスには図６に示されているように文章単位で音声データが格納されていたが、図７に示されている例では、データメモリ21の各アドレスには図８に示されているように単語単位で音声データが格納されており、発生すべき文章に応じて組み合わされて使用される。従って、制御回路９から与えられる通知番号に対応していずれの単語の音声データをどのような順序で使用すべきかを予め記憶した文章作成回路23が図７に示されているように音声合成回路10に内蔵されている。
【００５５】
たとえば、エラー検出回路８がヘッドの汚れを検出した場合には、制御回路９は通知番号(1) の信号81を出力すると共に、スイッチング回路５を図２に破線にて示されている状態に切り換える。音声合成回路10の文章作成回路23はこの信号81が入力された場合、いずれの単語をどのような順序で使用するかを指示する信号をアドレス変換回路22に与える。アドレス変換回路22では文章作成回路23から与えられる信号を順次的にアドレスに変換し、アドレス”0000”, ”0011”, ”1000”, ”0101”を順にデータメモリ21へ出力する。これにより、データメモリ21からは「ヘッドの」，「クリーニングを」，「して」，「下さい」という音声データが音声信号として順に出力される。
【００５６】
音声合成回路10のデータメモリ21から順に出力された各音声信号は、スイッチング回路５を経由して駆動回路６に与えられるので、駆動回路６は与えられた音声信号に従ってＶＣＭ７を駆動する。これにより、ＶＣＭ７のコイル74が振動して全体として「ヘッドの  クリーニングを  して  下さい」という音声が発声される。
【００５７】
なお、上述の実施例では本発明の情報記録再生装置として光ディスク装置を例にしているが、情報書込み／読み出し手段としてのヘッドを記憶媒体に対して移動させて位置決めするための移動手段としてボイスコイルモータを使用しているたとえばフレキシブルディスク装置, 光磁気ディスク装置等にも本発明が適用可能であることは言うまでもない。
【００５８】
また、上述の実施例では、音声合成手段としての音声合成回路10のデータメモリ21には文章単位の音声データまたは文節単位の音声データが記憶されるように構成したが、単語単位、あるいはそれ以外の単位で音声データを格納することも可能であり、最終的に文章の形で、あるいは文章の形でなくともユーザが理解可能な形で音声メッセージが発生されればよい。
【００５９】
【発明の効果】
以上に詳述したように本発明の情報記録再生装置では、記憶媒体の移動手段として従来一般的に使用されているボイスコイルモータのコイルを振動させてボイスコイルモータを発音手段として兼用することにより、装置本体に極くわずかのハードウェアを追加するのみで、容易且つ明瞭に理解されるように種々のメッセージを音声で発声することが可能になると共に、システム全体の変更を行なわずともよい。
【図面の簡単な説明】
【図１】本発明の情報記録再生装置の原理構成を示すブロック図である。
【図２】本発明の情報記録再生装置の一実施例の構成例を示すブロック図である。
【図３】本発明の情報記録再生装置の光ヘッドの具体的な構成を示す模式図である。
【図４】ボイスコイルモータの概略の構成を示す模式図である。
【図５】本発明の情報記録再生装置の音声合成回路の構成例を示す模式図である。
【図６】本発明の情報記録再生装置のデータメモリの記憶内容の例を示す模式図である。
【図７】本発明の情報記録再生装置の音声合成回路の他の構成例を示す模式図である。
【図８】本発明の情報記録再生装置のデータメモリの他の記憶内容の他の例を示す模式図である。
【図９】従来の情報記録再生装置の原理的な構成例を示すブロック図である。
【符号の説明】
１    情報書込み／読み出し手段（光ヘッド）
４    サーボ手段（サーボ回路）
５    スイッチング手段（スイッチング回路）
６    駆動手段（駆動回路）
７    発音手段／移動手段（ボイスコイルモータ）
10    音声合成手段（音声合成回路）
21    データメモリ
22    アドレス変換回路
【図１】
0003643935.tif 000002
【図２】
0003643935.tif 000003
【図３】
0003643935.tif 000004
【図４】
0003643935.tif 000005
【図５】
0003643935.tif 000006
【図６】
0003643935.tif 000007
【図７】
0003643935.tif 000008
【図８】
0003643935.tif 000009
【図９】
0003643935.tif 000010